(57)【特許請求の範囲】
【請求項１】
パンチと、該パンチと噛み合ってシート材に穿孔するダイ孔を有するダイと、該ダイを貫通して前記パンチの穿孔方向と直交回転する回転軸とを有し、前記ダイ内部に前記ダイ孔が開口し前記回転軸方向に外部への開口部を有する穿孔屑排出空間を備え、該穿孔屑排出空間の外周側を画成する前記ダイの内壁は円筒状面と傾斜面とが前記回転軸周りに隣接して組み合わされて形成され、前記傾斜面は前記開口部に向かって前記回転軸から離間する方向に傾斜を有していることを特徴とする穿孔屑排出性に優れたロータリー式パンチユニット。
【請求項２】
前記ダイ孔は前記円筒状面に開口して形成されていることを特徴とする請求項１に記載の穿孔屑排出性に優れたロータリー式パンチユニット。
【請求項３】
前記傾斜面は平面または前記回転軸からの離間方向に凹む曲面によって形成されていることを特徴とする請求項１または２に記載の穿孔屑排出性に優れたロータリー式パンチユニット。
【請求項４】
前記穿孔屑排出空間は回転軸方向の一方および他方に前記開口部を備えていることを特徴とする請求項１乃至３のいずれかに記載の穿孔屑排出性に優れたロータリー式パンチユニット。
【発明の詳細な説明】
【技術分野】
【０００１】
本発明は、パンチとダイ孔を有するダイとの間に供給された紙や樹脂フィルムなどのシート材に対し、前記パンチと前記ダイ孔とが噛み合って穿孔するロータリー式パンチユニットに関する。
【背景技術】
【０００２】
ロータリー式パンチユニットは、互いに異なる方向に回転する一対の回転軸を有し、一方の回転軸にパンチが固設され、他方の回転軸に該パンチと噛み合ってシート材に穿孔するダイ孔を有するダイが固設され、前記一対の回転軸が同期して回転することによって前記パンチと前記ダイ孔との間に位置するシート材に穿孔する構成を有する。
【０００３】
上述したロータリー式パンチユニットに用いるダイは、その外観が円筒状に形成されることが多い。この場合、パンチとダイ孔が噛み合って打ち抜かれたシート材の穿孔屑は、パンチによってダイ孔からダイの内部に押し出され、この後に回転軸の回転によってダイの内部の外周側内壁や回転軸側内壁に接触して回動されながら回転軸方向に移動され、ダイに設けられた開口部から外部に排出されることになる。
【０００４】
このようなダイとしては、例えば図４に示すような、回転軸５が貫通するダイの内部の空間形状を形成する回転軸側内壁は回転軸５の外周面をそのまま利用し、外周側内壁を開口部７Ａに向かって真っ直ぐに形成して円筒状面８Ａとした特許文献１に開示されるダイ（以下、従来ダイＡという）が知られる。また、これに類似するものとして、例えば特許文献３に開示される、外周側内壁を開口部に向かってライフルマークの一部を模したような送り角を設けた螺旋状様の溝部を有して異形円筒状面としたダイ（以下、従来ダイＢという）が知られる。
【０００５】
また、例えば図５に示すような、回転軸５が貫通するダイの内部の空間形状を形成する回転軸側内壁は回転軸５の外周面をそのまま利用し、外周側内壁を開口部７Ｃに向かって円錐状に拡径して形成してテーパ状面９Ｃとした特許文献２に開示されるダイ（以下、従来ダイＣという）が知られる。また、これに類似するものとして、例えば特許文献３に開示される、外周側内壁を開口部に向かって異形円錐状に拡径して形成して階段状面としたダイ（以下、従来ダイＤという）が知られる。
【０００６】
また、例えば図６に示すような、ダイの内部の空間形状を形成する外周側内壁は開口部７Ｅに向かって真っ直ぐに形成して円筒状面８Ｅとし、開口部７Ｅに向かって縮径するテーパ状面９Ｅを有するデフレクタ１８Ｅを回転軸５に取り付け、該テーパ状面９Ｅをダイ孔３Ｅの直下に位置させて回転軸側内壁とした特許文献３に開示されるダイ（以下、従来ダイＥという）が知られる。
【０００７】
上述した従来ダイＡ〜Ｅの内部の空間の広がり方に着目すると、従来ダイＡ、Ｂは奥側から開口部に向かってほぼ一定の略円柱形状の空間になっており、従来ダイＣ、Ｄは奥側が狭くて開口部に向かって広がっていく略円錐形状の空間になっており、従来ダイＥは従来ダイＣ、Ｄに有する略円錐形状の補間的形状の空間になっている。上述したロータリー式パンチユニットにおいては、開口部に向かって拡径するテーパ状面の外周側内壁を有する従来ダイＣが多用されており、穿孔屑がテーパ状面の傾斜によって排出されやすいとされている。
【先行技術文献】
【特許文献】
【０００８】
【特許文献１】特開平７−８８７９９号公報
【特許文献２】特開平７−９３９４号公報
【特許文献３】特開２０００−４２９９４号公報
【発明の概要】
【発明が解決しようとする課題】
【０００９】
本発明者は、繰り返しシート材に穿孔した場合において、上述した従来ダイＡ〜Ｅを対象とし、従来ダイＡ〜Ｅの内部の空間における穿孔屑の挙動に関して観察および考察を行った。具体的には、回転軸が貫通する従来ダイＡ〜Ｅを独立に備えたそれぞれのロータリー式パンチユニットを試作し、これを安定な台上で固設した。このとき、従来ダイＡ〜Ｅを回転する回転軸を重力に対する水平方向から僅かに傾けて保持し、従来ダイＡ〜Ｅの穿孔屑を排出するための開口部が僅かに上方に向かった状態に配置した。この後、従来ダイＡ〜Ｅを備えたそれぞれのロータリー式パンチユニットによってシート材に連続的に穿孔し、その穿孔途中において、穿孔屑の従来ダイＡ〜Ｅの内部での挙動や、開口部からの排出挙動を観察した。
【００１０】
略円柱形状の空間を内部に有した従来ダイＡ、Ｂでは、大部分の穿孔屑は、ダイ孔から押し出されて最下部に向かって落下後、略円柱形状の空間内において、ダイの回転に伴って、外周側内壁となる円筒状面上を円周方向に移動して持ち上げられる段階（イ）と、円筒状面上をある角度に達した時点でずり落ちていく段階（ロ）とを繰り返した。そして、次々に生成される後続の穿孔屑に押圧されながら徐々に開口部側に移動し、終には開口部に達してダイの外部へ排出されるに到った。しかしながら、穿孔回数が増えてくると、摩擦に起因すると考えられる穿孔屑の円筒状面への貼り付きが発生し、さらには貼り付いた穿孔屑に対して後続の穿孔屑が堆積していった。そして、終には、穿孔屑の堆積により円筒状面と回転軸との間の一部の空間が目詰まりしてしまい、穿孔屑のダイの外部への排出に支障を来たすことがあった。
【００１１】
また、略円錐形状の空間を内部に有した従来ダイＣ、Ｄでは、大部分の穿孔屑は、ダイ孔から押し出されて最下部に向かって落下後、略円錐形状の空間内において、ダイの回転に伴って外周側内壁となるテーパ状面上で上述した段階（イ）（ロ）と同様な段階を繰り返し、重量方向の最下位置近傍でテーパ状面上をジグザグ状に移動し、終には開口部に達してダイの外部へ排出されるに到った。しかしながら、穿孔回数が増えてくると、次々に生成される後続の穿孔屑が、略円錐形状の空間のダイ孔よりも奥側の狭隘な空間に停留して堆積し、さらには堆積された穿孔屑がダイ孔直下にまで達したときにダイ孔から逆流する現象を生じた。そして、終には、穿孔屑の堆積によりテーパ状面と回転軸との間の一部の空間が目詰まりしてしまい、穿孔屑のダイの外部への排出に支障を来たすことがあった。
【００１２】
また、デフレクタ１８Ｅにより略円錐形状の補間的形状の空間を内部に有した従来ダイＥでは、ダイの回転に伴って外周側内壁となる円筒状面上で上述した段階（イ）（ロ）と同様な段階を繰り返し、終には上述した従来ダイＡ、Ｂと同様に、開口部に達した穿孔屑はダイの外部へ排出されるに到った。しかしながら、穿孔回数が増えてくると、穿孔屑が外周側外壁である円筒状面へ貼り付いて堆積し、また、ダイ穴よりも奥側の円筒状面と回転軸側内壁であるデフレクタ１８Ｅのテーパ状面とでなす狭隘な空間に穿孔屑が停留して堆積し、これによりダイの内部の一部の空間が目詰まりして、穿孔屑のダイの外部への排出に支障を来たすことがあった。
【００１３】
本発明の目的は、上述の解決課題を鑑み、ダイ孔に続くダイの内部の空間に穿孔屑が停留することのない簡易な構成でなるダイ部材を得て、穿孔屑排出性に優れたロータリー式パンチユニットを提供することである。
【課題を解決するための手段】
【００１４】
本発明者は、上述したように従来ダイにおける穿孔屑の排出挙動について検討し、ダイの内部の空間を画成する内壁を形成するにおいて、その外周側内壁を円筒状面と傾斜面を回転軸周りに隣接して形成することにより、上述の課題が解決できることを見出し本発明に到達した。
【００１５】
すなわち本発明は、パンチと、該パンチと噛み合ってシート材に穿孔するダイ孔を有するダイと、該ダイを貫通して前記パンチの穿孔方向と直交回転する回転軸とを有し、前記ダイ内部に前記ダイ孔が開口し前記回転軸方向に外部への開口部を有する穿孔屑排出空間を備え、該穿孔屑排出空間の外周側を画成する前記ダイの内壁は円筒状面と傾斜面とが前記回転軸周りに隣接して組み合わされて形成され、前記傾斜面は前記開口部に向かって前記回転軸から離間する方向に傾斜を有している、穿孔屑排出性に優れたロータリー式パンチユニットである。
【００１６】
本発明においては、前記ダイ孔は前記円筒状面に開口して形成されていることが望ましい。
【００１７】
また、本発明においては、前記傾斜面は平面または前記回転軸からの離間方向に凹む曲面によって形成されていることが望ましい。
【００１８】
また、本発明においては、前記穿孔屑排出空間は回転軸方向の一方および他方に前記開口部を備えることができる。
【発明の効果】
【００１９】
本発明によれば、シート材に穿孔することでダイ孔から押し出された穿孔屑がダイの内部に堆積して停留してしまうことを防止し、これによって穿孔屑をダイの外部へ円滑に排出できる簡易な構成でなるダイ部材が得られるので、穿孔屑排出性に優れたロータリー式パンチユニットを得ることができる。
【図面の簡単な説明】
【００２０】
【図１】本発明のロータリー式パンチユニットの一例を模式的に示す構成図である。
【図２】本発明において適用可能なダイの一例を模式的に示す構成図である。
【図３】本発明において適用可能なダイの別例を模式的に示す構成図である。
【図４】従来ダイＡの一例を模式的に示す構成図である。
【図５】従来ダイＣの一例を模式的に示す構成図である。
【図６】従来ダイＥの一例を模式的に示す構成図である。
【発明を実施するための形態】
【００２１】
本発明における重要な特徴は、ロータリー式パンチユニットに備えるダイの内部にダイ孔が開口する穿孔屑排出空間を画成し、該穿孔屑排出空間の外周側を画成する前記ダイの内壁（以下、外周側内壁という）を円筒状面と傾斜面を隣接して組み合わせて回転軸周りに形成したことである。上述の外周側内壁によってダイ内部に画成される空間は、開口部に向かって開口面積がほぼ定まった回転軸と円筒状面の間で画成される空間（以下、定空間という）と、開口部に向かって開口面積が徐々に変わって増えていく回転軸と傾斜面の間で画成される空間（以下、変空間という）とを、回転軸周りに交互に有する空間構造になる。
【００２２】
上述した構成を有する本発明におけるダイは、具体的には、ダイ内部にダイ孔が開口し回転軸方向に外部への開口部を有する空間を備え、該空間を画成する外周側内壁は円筒状面と傾斜面とが前記回転軸周りに隣接して組み合わされて形成され、前記傾斜面は前記開口部に向かって前記回転軸から離間する方向に傾斜を有している。そして、これにより、ダイ内部に画成された空間が、上述した定空間と変空間とが回転軸周りに交互に配置された空間構造になる。
【００２３】
本発明において、円筒状面とは、円筒の外周曲面を部分的に含むように形成された面や、円筒の外周曲面そのものでなくても該外周曲面と類似する曲面を含んで形成された面をいう。また、傾斜面とは、ダイ内部に画成された空間の開口部に向かって回転軸から離間する方向に傾斜を有するように、平面または曲面、もしくは平面と曲面の組み合わせによって形成された面をいう。
【００２４】
本発明において適用できるダイは、パンチと噛み合ってシート材に穿孔するダイ孔を有するとともに、該ダイの内部に上述した空間構造を有する空間が画成されたものであれば良い。例えば、刃物用鋼材や粉末焼結材などの金属素材を用いて機械加工で上述したダイの構成に形成することができる。また、例えば、前記金属素材を用いてダイ孔を含むダイ部材を形成し、樹脂材料などを用いてダイケースを形成し、該ダイケースを前記ダイ部材の周辺に一体に組み立てて、上述したダイの構成に形成することができる。
【００２５】
このようなダイケースを使用することは望ましく、機械的強度を有する金属素材でなるダイ部材を回転軸に固設し、機械的強度がやや劣る樹脂素材でなるダイケースを前記ダイ部材に固設するといった構成が適用できる。この場合、ダイ部材の回転軸側の面を上述した外周側内壁の一部とし、例えば１つの円筒状面を形成し、ダイケースの回転軸側の面を上述した外周側内壁の残部とし、例えば１つの円筒状面と２つの傾斜面を交互に形成する構成にすることにより、２組の円筒状面と傾斜面の組み合わせで形成した外周側内壁によりダイ内部の空間を画成することができる。
【００２６】
本発明のロータリー式パンチユニットにおいて、シート材に穿孔して生成された穿孔屑は、パンチによってダイ孔からダイ内部の空間に押し出されて外周側内壁上に落下する。そして、その穿孔屑の多くは、ダイが回転運動される間に、外周側内壁を形成する円筒状面や傾斜面の面上を滑ったり、転がったり、時には回転軸に接触したりなどしながら、定空間から変空間へと、あるいは変空間から定空間へと、状況に応じて繰り返しそれぞれの空間を移動し、終には開口部に到ってダイ外部へと排出されるといった挙動を示すことになる。
【００２７】
穿孔屑が上述の挙動を示す場合には、空間容積の大きい定空間においては多くの穿孔屑が収納できるため穿孔屑が停留しても目詰まり難くでき、また、傾斜面を有する変空間においては傾斜によって穿孔屑を積極的に開口部側に移動できるため穿孔屑をダイ外部へ効率良く排出できる。また、ダイ孔よりも奥側の空間において、上述した変空間においては狭隘になりやすい。例えば、このような変空間の狭隘な箇所に穿孔屑が停留して堆積し始めたとしても、穿孔屑がある程度堆積した後には変空間の両隣に配置した空間容積の大きい定空間の側に崩落してしまうため、穿孔屑が堆積してダイ孔直下まで達することはなく、故にダイ孔から穿孔屑が逆流してしまうことはない。また、穿孔屑が堆積して変空間が目詰まりすることもなく、穿孔屑のダイ外部への排出に支障を来たすことはない。
【００２８】
本発明においては、ダイ内部の空間を画成するにおいては、上述したように該空間を画成する外周側内壁を円筒状面と傾斜面とを回転軸周りに隣接して組み合わせて形成する。この場合、ロータリー式パンチユニット全体あるいはダイ自体の形状や寸法との関係において、実用上、望ましくは円筒状面と傾斜面の組み合わせ数を６組以下に抑えることである。例えば、６組を超えて円筒状面と傾斜面を組み合わせた場合、上述した定空間と変空間が密になり過ぎてしまうため、定空間と変空間それぞれの上述した作用効果が十分に得られないことがある。こうなると、空間容積の大きい定空間であっても穿孔屑が停留して堆積しやすくなり、ダイ内部に穿孔屑が目詰まりしてしまう可能性が高まる。なお、円筒状面と傾斜面の組み合わせ数は、実用上、１組以上であればよい。この場合、ダイ孔を円筒状面に開口してダイ孔直下に空間容積の大きい定空間を画成することが望ましく、これによりダイ孔直下における穿孔屑の目詰まりが防止できる。
【００２９】
上述した構成を有するダイ部材を適用した本発明のロータリー式パンチユニットは、具体的には、パンチと、該パンチと噛み合ってシート材に穿孔するダイ孔を有するダイと、該ダイを貫通して前記パンチの穿孔方向と直交回転する回転軸とを有し、前記ダイ内部に前記ダイ孔が開口し前記回転軸方向に外部への開口部を有する穿孔屑排出空間を備え、該穿孔屑排出空間の外周側を画成する前記ダイの内壁は円筒状面と傾斜面とが前記回転軸周りに隣接して組み合わされて形成され、前記傾斜面は前記開口部に向かって前記回転軸から離間する方向に傾斜を有している、穿孔屑排出性に優れたロータリー式パンチユニットである。
【００３０】
以下、本発明のロータリー式パンチユニットにおける好適な構成について説明する。
本発明においては、ダイに有するダイ孔は、ダイ内部の空間を画成する外周側内壁の円筒状面に開口して形成することが望ましい。これにより、ダイ孔直下に空間容積の大きい定空間が配置され、シート材に連続的に穿孔することで穿孔屑がダイ孔から次々と押し出されてくるような場合であっても、定空間において穿孔屑を多く収納できるため穿孔屑の目詰まり防止効果がさらに高まる。
【００３１】
また、本発明においては、ダイ内部の空間を画成する外周側内壁の傾斜面を平面によって形成することが望ましく、または、前記空間を貫通する回転軸からの離間方向に凹む曲面によって形成することが望ましい。外周側内壁における傾斜面を平面にすることで、目詰まりし難い空間を得るとともに良好な穿孔屑排出性を得て、さらには単純形状であるため容易に形成できる。また、外周側内壁における傾斜面を上述の曲面にすることで、傾斜による穿孔屑排出性を確保しながら変空間の空間容積を大きくできるため、さらに穿孔屑の目詰まり防止効果が高まる。
【００３２】
また、本発明においては、ダイ内部を貫通する回転軸方向の両側に、ダイ内部に画成した空間に連なる開口部を備えることができる。これにより、ダイ孔からダイ内部の空間に押し出された穿孔屑の排出性がさらに向上できる。このように２つの開口部を設けるなどして穿孔屑排出性を向上させることにより、例えば、ダイ孔を有する２つのダイを１つのダイとして一体に形成することが容易になって、この場合でも一体に形成したダイの内部に画成した空間に穿孔屑が停留して目詰まりすることが防止できる。
【００３３】
次に、本発明のロータリー式パンチユニットについて、具体例を挙げて、図面を用いて説明する。
本発明のロータリー式パンチユニットの一例として、図１にロータリー式パンチユニット１０（以下、パンチユニット１０という）の構成図を示す。パンチユニット１０は、刃物用鋼材からなる２つのパンチ１と、これらのパンチ１に対応して噛み合うことができるダイ孔３を有する金属粉末焼結素材からなる２つのダイ部材２を備えており、シート材（図示せず）に同時に２孔を穿孔することができる。
【００３４】
パンチ１およびダイ孔３はシート材に穿孔する２孔の間隔に対応して配置され、パンチ１は回転軸１２に、ダイ孔３を有するダイ部材２は自身を貫通する回転軸５に、それぞれ固設されている。また、２本の回転軸５、１２は、フレーム１１に固設された軸受１５によって両端が支持され、互いに平行に対向して配置されている。そして、回転軸５、１２は、それぞれの軸の一方側がブッシュ１６で抜け止めされ、他方側に駆動部（図示せず）を連結したギヤ１３、１４が取り付けられている。回転軸１２のギヤ１３には、回転軸１２の回転角度を検出するエンコーダ１７が取り付けられ、エンコーダ１７の検出情報に基づいて回転軸５、１２が互いに逆方向に同期回転できるように構成されている。
【００３５】
回転軸５が貫通するダイ部材２は、金属粉末の射出成形および焼結による金属素材を用い、形状が略Ｌ字形であって、その一辺にダイ孔３が、他の辺に回転軸５の貫通孔が設けられている。また、ダイ部材２は、該ダイ部材２とともにカップ状に回転軸５周りを覆うように形成された樹脂製のダイケース４と一体に組み立てられている。そして、ダイ部材２とダイケース４とが一体になってダイ６として構成されている。該ダイ６の詳細を図２に示す。なお、図２（ａ）は回転軸５方向からの開口部７側を示し、図２（ｂ）は断面Ｐ−Ｐを、図２（ｃ）は断面Ｑ−Ｑを、図２（ｄ）は断面Ｒ−Ｒを示す。
【００３６】
２つのダイ６の内部には空間が画成され、該空間の中心部をパンチ１の穿孔方向と直交回転する位置関係になるように回転軸５が貫通し、回転軸５方向の一方側に開口した開口部７を備えている。そして、これら２つのダイ６は、回転軸５方向において互いの開口部７が反対向きに位置するように配置されている。なお、２つのダイ６は、穿孔屑を落下させたい所望位置に合わせて開口部７の向きを選定すればよく、例えば回転軸５方向において互いに対向して開口するように配置することもできる。
【００３７】
ダイ６内部の空間は、ダイ２およびダイケース４の回転軸５側の面を内壁（以下、外周側内壁という）として画成されている。また、外周側内壁は、２組の円筒状面８ａ、８ｂと傾斜面９ａ、９ｂが組み合わされ、回転軸５周りに隣接して配置されることによって形成されている。そして、２組の円筒状面８ａ、８ｂと傾斜面９ａ、９ｂは、回転軸５を間に置いてダイ孔３が開口した円筒状面８ａと他方の円筒状面８ｂが対向して配置され、ダイ孔３軸方向を間に置いて傾斜面９ａ、９ｂが互いに対向して配置されている。また、傾斜面９ａ、９ｂは開口部７に向かって回転軸５から離間する方向に傾斜を有している。
【００３８】
上述した外周側内壁によって画成されたダイ６内部の空間は、開口部７に向かって開口面積がほぼ定まった回転軸５と円筒状面８ａ、８ｂの間で画成された２つの定空間と、開口部７に向かって開口面積が徐々に変わって増えていく回転軸５と傾斜面９ａ、９ｂの間で画成された２つの変空間とを、回転軸５周りに交互に隣接して配置された空間構造を有しており、これによって回転軸５方向において開口面積が開口部７に向かって徐々に増していく空間に画成することができる。
【００３９】
本発明においては、ダイ内部の空間を画成する外周側内壁を形成するにおいて、円筒状面と傾斜面の組み合わせ数を変えることができる。上述したダイ６は２組の円筒状面８ａ、８ｂと傾斜面９ａ、９ｂを組み合わせて形成されているが、例えば４組の円筒状面と傾斜面を組み合わせたダイを構成することもでき、その一例を図３に示す。なお、図３（ａ）は回転軸５方向からの開口部７’側を示し、図３（ｂ）は断面Ｐ−Ｐを、図３（ｃ）は断面Ｑ−Ｑを、図３（ｄ）は断面Ｒ−Ｒを示す。
【００４０】
図３に示すダイは、回転軸５が貫通したダイ孔３を有するダイ部材２と、回転軸５周りを覆うように形成されたダイケース４’とが一体に組み立てられて、該ダイケース４’とダイ部材２が一体になってダイを形成するように構成されている。図３に示すダイは、円筒状面８’と傾斜面９’の組み合わせ数が上述したダイ６の２倍であり、ダイの外周径がダイ６と同じであれば、当然のことながらダイ６よりも円筒状面８’と傾斜面９’の面積が小さく形成されている。そして、円筒状面８’と傾斜面９’に基づいて画成されたダイ内部の空間は、回転軸５周りに交互に隣接して配置されたダイ６よりも空間容積の小さい４組の定空間と変空間が組み合わされて画成された空間構造を有している。このような空間構造を有するダイであっても、本発明における作用効果を得ることができ、具体的には、穿孔屑を多く収納できるようにして目詰まりし難くする定空間の作用効果と、傾斜によって穿孔屑を開口部に向かって積極的に移動させる変空間の作用効果を得ることができる。
【００４１】
次に、上述したパンチユニット１０によるシート材への穿孔動作について説明する。
まず、センサ（図示せず）により穿孔対象になるシート材（図示せず）の搬送を検出した。その検出信号に基づいて駆動部（図示せず）を起動し、その駆動力を歯車１３、１４を介して２本の回転軸５、１２に伝達し、回転軸５、１２を回転駆動した。これにより、回転軸５、１２は互いに逆方向に同期回転され、回転軸５、１２に配設した２組のパンチ１およびダイ６が待機位置から徐々に回転移動した。やがて、パンチ１の先端とダイ孔３の外側エッジが噛み合って、搬送中のシート材に２孔が穿孔された。
【００４２】
上述したシート材への穿孔動作を連続的に実施し、ダイ６内部の空間における穿孔屑の挙動および開口部７から排出される過程を観察した。
シート材への穿孔によって発生した穿孔屑（図示せず）は、パンチ１によってダイ孔３からダイ６内部の空間に押し出され、ダイ６内部の空間内に次々と落下した。多くの穿孔屑は、ダイ６の回転運動に伴って、上述した定空間では、外周側内壁となる円筒状面８ａ、８ｂの面上を円周方向に移動して持ち上げられる段階と、円筒状面８ａ、８ｂの面上をある角度に達した時点でずり落ちていく段階とを繰り返した。また、上述した変空間では、傾斜面９ａ、９ｂの面上で定空間と同様な挙動を繰り返しながらも、傾斜面９ａ、９ｂの面上をジグザグ状に開口部７に向かって移動していった。そして、多くの穿孔屑は、上述した様な挙動を示しながら、定空間から変空間へと、あるいは変空間から定空間へと、繰り返しそれぞれの空間を移動し、終には開口部７からダイ６外部へと排出された。
【００４３】
ダイ６を適用した本発明の一例となるパンチユニット１０においては、シート材に幾度となく穿孔を繰り返しても、次々に生成されてくる穿孔屑が、上述した従来多用されている従来ダイＣを適用したパンチユニットで生じた不具合などは認められなかった。具体的には、穿孔屑が変空間のダイ孔３よりも奥側の狭隘な箇所に堆積し過ぎてダイ孔３から逆流したり、穿孔屑が定空間や変空間に目詰まりしてダイ６外部への排出に支障を来たしたりといった不具合などは認められなかった。
【００４４】
以上より、ダイ内部の空間を画成する外周側内壁を円筒状面と傾斜面を隣接して組み合わせて回転軸周りに形成し、開口部に向かって開口面積がほぼ定まった定空間と、開口部に向かって開口面積が徐々に変わって増えていく変空間とを、回転軸周りに交互に有する空間構造とすることにより、本発明の穿孔屑排出性に優れたロータリー式パンチユニットが得られることが確認できた。
【符号の説明】
【００４５】
１．パンチ、２．ダイ部材、３．ダイ孔、４，４’．ダイケース、５．回転軸、６．ダイ、７，７’．開口部、８ａ，８ｂ，８’．円筒状面、９ａ，９ｂ，９’．傾斜面、１０．ロータリー式パンチユニット、１１．フレーム、１２．回転軸、１３，１４．ギヤ、１５．軸受、１６．ブッシュ、１７．エンコーダ、Ａ〜Ｅ．従来ダイ、３Ａ，３Ｃ，３Ｅ．ダイ孔、７Ａ，７Ｃ，７Ｅ．開口部、８Ａ，８Ｅ．円筒状面、９Ｃ，９Ｅ．テーパ状面、１８Ｅ．デフレクタ
【図１】
0005448674.tif 000002
【図２】
0005448674.tif 000003
【図３】
0005448674.tif 000004
【図４】
0005448674.tif 000005
【図５】
0005448674.tif 000006
【図６】
0005448674.tif 000007